(57)【要約】      （修正有）【課題】シートの前後スライド、背もたれのリクライニングおよびシート前、後部の高さ調整を感覚的に操作性良く行わせる車両用パワーシートの操作スイッチの提供。【解決手段】シートの側部に設置されたスイッチ本体に対してスイッチの把持部１を取り付け、その把持部を前、後方向に移動させているあいだシートを前方、後方にスライドさせるスライド用スイッチと、その把持部を上、下方向に移動させているあいだシートの後部をアップ、ダウンさせる後部チルト用スライド用スイッチと、その把持部を前方、後方に回転させているあいだシートの背もたれを前方、後方にリクライニングさせるリクライニング用スライド用スイッチとをスイッチ本体に組み込むとともに、その把持部の前部に、ノブ３１を上、下方向に操作しているあいだシートの前部をアップ、ダウンさせる前部チルト用スイッチを組み込む。【選択図】      図３
2006310243.tif 000002
【特許請求の範囲】
【請求項１】
シートの側部に設置されたスイッチ本体に対して、シートの前後、上下の各方向に移動できるとともに前方、後方に回転できるように、スイッチの把持部を取り付け、その把持部を前、後方向に移動させているあいだシートを前方、後方にスライドさせるスライド用スイッチと、その把持部を上、下方向に移動させているあいだシートの後部をアップ、ダウンさせる後部チルト用スライド用スイッチと、その把持部を前方、後方に回転させているあいだシートの背もたれを前方、後方にリクライニングさせるリクライニング用スライド用スイッチとをスイッチ本体に組み込むとともに、その把持部の前部に、ノブを上、下方向に操作しているあいだシートの前部をアップ、ダウンさせる前部チルト用スイッチを組み込むことによって構成された車両用パワーシートの操作スイッチ。
【請求項２】
把持部の中央部分に、シートの前後方向に対して一対の押釦スイッチを組み込んで、前方の押釦スイッチを押しているあいだシートのランバーサポートを前方に押し出し、後方の押釦スイッチを押しているあいだシートのランバーサポートを後方に引っ込めるようにしたことを特徴とする請求項１の記載による車両用パワーシートの操作スイッチ。
【発明の詳細な説明】
【技術分野】
【０００１】  本発明は、シートの前後スライド、リクライニングおよびシート前、後部の高さ調整を行わせる車両用パワーシートの操作スイッチに関する。
【背景技術】
【０００２】  従来、この種の車両用パワーシートの操作スイッチとして、シートの前後スライド、リクライニングおよびシート前、後部の高さ調整を行わせる各スイッチの組付性を良くするために、１つのケースにリクライニングスイッチと、シートの前後スライドおよび前、後部の高さ調整を行わせるシートスイッチとを組み付けて、それぞれ別途に独立したスイッチ操作を行わせるようにしたものが開発されている（特許文献１参照）。しかし、リクライニングスイッチとシートスイッチとが別途に設けられているので、手探りで各スイッチを選びながら目的とするスイッチの操作を行わなければならず、操作性が悪く、誤操作しやすいものになっている。【０００３】
【特許文献１】  特開平９−２４０３４０号公報
【０００４】  また、従来、操作性の向上を図るべく、図７に示すように、シートの側部に設置された円形の把持部７１を掴んで前後Ｘ方向に移動させることによってシートの前後スライドを行わせ、その把持部７１を前後θ方向に回転させることによってシートの背もたれのリクライニングを行わせるようにしたうえで、その把持面の前部に上、下部分を押すことによってシート前部の高さ調整を行わせるシーソー型の押釦スイッチ７２と、その把持面の後部に上、下部分を押すことによってシート後部の高さ調整を行わせるシーソー型の押釦スイッチ７３とを組み込んで、シートの動きに即したスイッチ操作を行わせることができるようにしたものが開発されている（特許文献２参照）。【０００５】
【特許文献２】  実公平６−２９１１１号公報
【発明の開示】
【発明が解決しようとする課題】
【０００６】  解決しようとする問題点は、シートの動きに即したスイッチ操作を行わせることができるように、シートの側部に設けられた把持部を掴んで前後移動させることによってシートのスライドを行わせ、その把持部を前後方に回転させることによってシートの背もたれのリクライニングを行わせるようにしたものにあって、その把持面の前部、後部にシート前部、後部の高さ調整を行わせる各シーソー型の押釦スイッチを組み込むようにするのでは、把持部を掴んだ状態のままでその各シーソー型の押釦スイッチを操作することができないことである。
【課題を解決するための手段】
【０００７】  本発明は、シートの側部に設置されたスイッチ本体に対して、シートの前後、上下の各方向に移動できるとともに前方、後方に回転できるように、スイッチの把持部を取り付け、その把持部を前、後方向に移動させているあいだシートを前方、後方にスライドさせるスライド用スイッチと、その把持部を上、下方向に移動させているあいだシートの後部をアップ、ダウンさせる後部チルト用スライド用スイッチと、その把持部を前方、後方に回転させているあいだシートの背もたれを前方、後方にリクライニングさせるリクライニング用スライド用スイッチとをスイッチ本体に組み込むとともに、その把持部の前部に、ノブを上、下方向に操作しているあいだシートの前部をアップ、ダウンさせる前部チルト用スイッチを組み込むことによって、車両用パワーシートの操作スイッチを構成するようにしている。
【発明の効果】
【０００８】  本発明によれば、把持部を掴んだ状態のままで、シートの前後スライド、背もたれのリクライニングおよびシート前、後部の高さ調整を、実際のシートの動きに即して感覚的に操作性良く行わせることができるようになる。
【実施例１】
【０００９】  図１は、本発明に係るパワーシートの動作状態を示すもので、背もたれの前倒、後倒を行うリクライニング動作Ａ、シート後部のアップ、ダウンを行う後部チルト動作Ｂ、シートの前後移動を行うスライド動作Ｃ、シート前部のアップ、ダウンを行う前部チルト動作Ｄおよび背もたれのランバーサポートの前方への押し出し、後方への引き込みを行うランバーサポート動作Ｅからなっている。そのパワーシートにおける各部動作の駆動機構としては、従来公知のものがそのまま適用されており、ここでは特に図示しない。【００１０】  本発明では、このようなパワーシートの操作スイッチとして、シートの側部に設置されたスイッチ本体に対して、シートの前後、上下の各方向に移動できるとともに前方、後方に回転できるように、スイッチの把持部を取り付けるようにしている。【００１１】  図２は把持部１を示しており、正面からみた形状がほぼ楕円形状のグリップからなっており、図３に示すように、全体を手の平で掴んで、前後Ｘ方向および上下Ｙ方向に移動させ、前後θ方向に回転させることができるようになっている。【００１２】  図４は、スイッチ本体２側におけるシート後部のアップ、ダウンを行わせる後部チルト動作Ｂ用のスイッチ構造およびシートの前後移動を行わせるスライド動作Ｃ用のスイッチ構造を示している。図５は、その各スイッチ構造の接点部分を示している。【００１３】  ここでは、レバー２１に取り付けられた把持部（図示せず）を前方、後方に移動させたときのレバー２１の動きに応じて、接触子２２を介して一対に設けられたシーソー型の各スイッチ部２３を切り換えて、シートのスライド用の駆動モータの正転、逆転を行わせるようになっている。【００１４】  また、把持部を上方、下方に移動させたときのレバー２１の動きに応じて、接触子２４を介して一対に設けられたシーソー型の各スイッチ部２５を切り換えて、シート後部チルト用の駆動モータの正転、逆転を行わせるようになっている。【００１５】  また、同様に、そのスイッチ本体２には、特に図示しないが、把持部を前方、後方に回転させたときの把持部に別途取り付けられたレバーの動きに応じて、接触子を介して一対に設けられたシーソー型の各スイッチ部を切り換えて、シートのリクライニング用の駆動モータの正転、逆転を行わせる従来と同様のスイッチ構造が組み込まれている。【００１６】  そして、図２に示すように、把持部１の前部には、ノブ３１を上方に引き上げ、下方に押し下げる操作しているあいだシートの前部をアップ、ダウンさせる前部チルト用スイッチ３が組み込まれている。【００１７】  なお、リクライニング動作Ａ用のスイッチ構造、シート後部チルト動作Ｂ用のスイッチ構造、スライド動作Ｃ用のスイッチ構造および前部チルト用スイッチ３としては、各スイッチ操作が行われないときには中立位置に自動的に復帰するようになっている。【００１８】  また、把持部１の中央部分には、シートの前後方向に対して、前方の押釦４１を押しているあいだシートのランバーサポートを前方に押し出し、後方の押釦４２を押しているあいだシートのランバーサポートを後方に引っ込める、シーソー型の一対の押釦スイッチ４が組み込まれている。【００１９】  図６は、把持部のスライド動作Ｃ時のスイッチ本体２における一対に設けられたシーソー型の各スイッチ部２３の切り換え状態に応じてシートのスライド用の駆動モータＭ１の正転、逆転を行わせる駆動回路Ｄ１、把持部の後部チルト動作Ｂ時のスイッチ本体２における一対に設けられたシーソー型の各スイッチ部２５の切り換え状態に応じてシート後部のチルトアップ、チルトダウン用の駆動モータＭ２の正転、逆転を行わせる駆動回路Ｄ２を示している。また、把持部のリクライニング動作Ａ時のスイッチ本体２における一対に設けられたシーソー型の各スイッチ部２６の切り換え状態に応じてシートのリクライニング用の駆動モータＭ３の正転、逆転を行わせる駆動回路Ｄ３、前部チルト用スイッチ３による前部チルト動作Ｄ時のスイッチ操作状態に応じてシート前部のチルトアップ、チルトダウン用の駆動モータＭ４の正転、逆転を行わせる駆動回路Ｄ４、ランバーサポート用の一対の押釦スイッチ４によるランバーサポート動作Ｅ時のスイッチ操作状態に応じてランバーサポート押し出し、引き込み用の駆動モータＭ５の正転、逆転を行わせる駆動回路Ｄ５を示している。【００２０】  なお、本発明による車両用パワーシートの操作スイッチにあっては、把持部１の中央部分にランバーサポート用の一対の押釦スイッチ４を必ずしも設ける必要がない。
【産業上の利用可能性】
【００２１】  本発明は、車両用パワーシートにおける操作スイッチの把持部を掴んだ状態のままで、シートの前後スライド、背もたれのリクライニングおよびシート前、後部のチルトの一連の調整を、実際のシートの動きに即して感覚的に操作性良く行わせることができるように工夫したもので、車両用パワーシートの操作スイッチとして使用するのに有意義である。
【図面の簡単な説明】
【００２２】
【図１】本発明に係るパワーシートの動作状態を示す図である。
【図２】本発明による車両用パワーシートの操作スイッチにおける把持部の正面図である。
【図３】本発明による車両用パワーシートの操作スイッチにおける把持部を手の平で掴んで操作する状態を示す正面図である。
【図４】本発明による車両用パワーシートの操作スイッチにおけるスイッチ本体側の後部チルト動作用のスイッチ構造およびのスライド動作用のスイッチ構造を示す側面図である。その基本的な構成例による傾倒センサにおけるムーブメントを示す正面図である。
【図５】図４に示すスイッチ構造の接点部分を示す平面図である。
【図６】本発明による車両用パワーシートの操作スイッチにおける各スイッチ動作に応じた各部駆動用モータの駆動回路を示す図である。
【図７】従来の車両用パワーシートの操作スイッチの把持部を示す正面図である。
【符号の説明】
【００２３】１  把持部
２  スイッチ本体
３  前部チルト用スイッチ
４  ランバーサポート用の一対の押釦スイッチ４
Ａ  車体リクライニング動作
Ｂ  後部チルト動作
Ｃ  スライド動作
Ｄ  前部チルト動作
Ｅ  ランバーサポート動作Ｅ
【図１】
2006310243.tif 000003
【図２】
2006310243.tif 000004
【図３】
2006310243.tif 000005
【図４】
2006310243.tif 000006
【図５】
2006310243.tif 000007
【図６】
2006310243.tif 000008
【図７】
2006310243.tif 000009